(57)【要約】【課題】遊技店の静寂なトイレ空間を利用して効率良く各種の情報を遊技客に伝達することのできる遊技店の情報表示システムを提案すること。【解決手段】遊技店２に設置された情報表示システム１はトイレ４の便器の近傍に設置された映像表示端末６(１)を備えている。映像表示端末６(１)は一般ＴＶの放映画面のみを無音状態で放映しており、遊技客がトイレ４に入り便器の前に立ったことが検出されると、所定時間を置いた後に、表示画面５４が所定の宣伝情報に切り替わり、映像および音声が出力される。体温センサ４１によって検出された体温に基づき芳香放出器３７から香りが一定時間放出される。人が去ると、直ちに一般ＴＶの放映画面に戻る。静寂なトイレ内において、視覚、聴覚および臭覚で認識可能な形態で宣伝情報を出力することによって、効率良く遊技客に情報を伝達できる。【選択図】図２
2008284101.tif 000002
【特許請求の範囲】
【請求項１】
映像配信サーバと、少なくとも一台の映像表示端末とが有線または無線で接続されている情報表示システムにおいて、
前記映像表示端末は、表示器と、第１映像情報を蓄積するメモリと、当該映像表示端末に対して一定の距離以内の領域に人がいることを検出するための人感センサと、芳香放出器と、前記表示器に表示される映像情報の切り替え制御を行う制御部とを備えており、
前記映像配信サーバは、前記映像表示端末の前記メモリに蓄積される前記第１映像情報を配信する第１映像情報配信手段と、前記映像表示端末の前記表示器に表示させるための第２映像情報をストリーミング配信する第２映像情報配信手段とを備えており、
前記映像表示端末は、前記制御部の制御の下に、前記領域内に人がいない場合には、前記映像配信サーバからストリーミング配信される前記第２映像情報を前記表示器に表示させ、前記領域内に人が入ったことが検出されると、前記芳香放出器を駆動して香りを所定期間放出させると共に、前記表示器に表示されている映像情報を、前記メモリに蓄積されている前記第１映像情報に切り替え、当該領域内に人がいることが検出されている間、当該第１映像情報を表示させ、前記領域内に人がいることが検出されなくなると、前記表示器に表示される映像情報を、再び、前記第２映像情報に戻すことを特徴とする情報表示システム。
【請求項２】
前記映像表示端末はＴＶチューナを備えており、
前記領域内に人がいない場合には前記映像配信サーバからストリーミング配信される前記第２映像情報、あるいは、前記ＴＶチューナを介して受信される第３映像情報を前記表示器に表示させ、前記領域内に人がいる状態から人がいなくなった場合に、前記表示器に表示されている映像情報を前記第１映像情報から、前記第２映像情報あるいは前記第３映像情報に戻すことを特徴とする請求項１に記載の情報表示システム。
【請求項３】
各映像表示端末は、パチンコ店などの遊技店におけるトイレ内の各便器に対応した位置に設置されていることを特徴とする請求項１に記載の情報表示システム。
【請求項４】
前記映像表示端末における前記表示器に表示される映像情報の切り替えを、前記領域内に人がいることが検出された場合には、当該検出時点から所定時間が経過した後に行い、前記領域内に人がいることが検出されなくなった場合には直ちに行うことを特徴とする請求項３に記載の情報表示システム。
【請求項５】
前記映像表示端末は振動発生部を備えており、
前記制御部は、前記領域内に人がいることが検出されると、当該振動発生部を駆動して振動を発生させることを特徴とする請求項４に記載の情報表示システム。
【請求項６】
前記芳香放出器は異なる種類の香りを放出可能であり、
前記映像表示端末は、前記領域内に入った人の体温、脈拍などの生体情報を検出する生体情報センサを備えており、前記領域内に人がいることが検出されると、前記生体情報センサの検出結果に基づき選択された香りを放出することを特徴とする請求項４に記載の情報表示システム。
【請求項７】
前記映像表示端末は、前記領域内に入った人の体温、脈拍などの生体情報を検出する生体情報センサを備えており、前記表示器に、前記第１映像情報と同時に、あるいは、当該第１の映像情報の後に、前記生体情報センサの検出結果に基づき第４映像情報を表示することを特徴とする請求項４に記載の情報表示システム。
【請求項８】
前記映像表示端末の前記表示器の表示画面はタッチパネル機能を備えており、
当該映像表示端末の前記メモリには、複数種類の前記第１映像情報が蓄積されており、
当該映像表示端末は、前記第１映像情報の表示時には最初に予め定められた種類の第１映像情報を表示し、前記表示画面の側からの切り替え入力に応じて表示される第１映像情報を異なる種類のものに切り替えることを特徴とする請求項４に記載の情報表示システム。
【請求項９】
前記第２映像情報および前記第３映像情報は、一般ＴＶ放送、ＢＳ放送、ＣＳ放送、ケーブルＴＶ放送、および、録画映像のうちの一つであることを特徴とする請求項１ないし８のうちのいずれかの項に記載の情報表示システム。
【請求項１０】
前記第１映像情報は、イベント情報、商品広告情報、飲食店のメニュー情報、小売店の商品情報、旅行代理店などのサービス業のサービス情報、ホテル・会場・乗り物・旅行などの予約情報のうちの少なくとも一つであることを特徴とする請求項９に記載の情報表示システム。
【請求項１１】
前記第１映像情報は、次の(１)〜(８)のうちの少なくとも一つであることを特徴とする請求項９に記載の情報表示システム。
(１)新機種(遊技機)入れ替えの案内、レディースデイなどの営業イベントの案内、甘釘まつりなどの遊技機イベントの案内、カニ祭りなどの景品イベントの案内、店内チラシ、などのパーラーイベント情報
(２)遊技機の基本仕様と遊技方法解説(遊技機プロモーション)
(３)大当たり情報、出玉情報
(４)会員サービス情報
(５)休業日、営業時間の案内
(６)企業案内と他店(チェーン店など)情報
(７)求人案内
(８)設置している遊技機とそのレイアウト情報、パーラーに関係するレストラン情報・ブランド品などの情報を含む、パーラー内の広告宣伝
【請求項１２】
前記映像表示端末は、前記領域に人がいることが検出されると、前記第１映像情報の表示を常にその先頭から開始し、前記領域内に人がいることが検出されている間は繰り返し当該第１映像情報を表示することを特徴とする請求項１ないし１１のうちのいずれかの項に記載の情報表示システム。
【請求項１３】
インターネットなどの通信回線を介して、前記映像配信サーバに前記第１映像情報を配信する中央配信サーバを有しており、
前記映像配信サーバは、前記中央配信サーバから配信された前記第１映像情報を蓄積するための画像メモリを備えていることを特徴とする請求項１ないし１２のうちのいずれかの項に記載の情報表示システム。
【請求項１４】
前記映像表示端末は、前記第１映像情報を前記表示器に表示すると同時に占いボタンを前記表示画面上に表示し、当該占いボタンが操作されるとその旨を前記中央配信サーバに通知するようになっており、
前記中央配信サーバは、前記占いボタンが操作されたことが通知されると、占い結果データを作成して、当該占い結果データを、前記占いボタンが操作された前記映像表示端末の前記表示画面に表示させることを特徴とする請求項１３に記載の情報表示システム。
【請求項１５】
前記映像表示端末は、前記占いボタンが操作されると前記表示画面上に占いメニュー画面を表示し、表示されている占いメニュー画面上の一つの占いが選択されると、その占い画面を表示し、表示された占い画面上において占いの実行が選択されるとその旨を前記中央配信サーバに通知するようになっており、
前記中央配信サーバは、当該通知を受け取ると、選択された占いの結果データを作成して、前記の占いの実行が選択された前記映像表示端末の前記表示画面上に、占いの結果を表示させることを特徴とする請求項１４に記載の情報表示システム。
【発明の詳細な説明】
【技術分野】
【０００１】
本発明は、パチンコ店などの遊技店内、その他の施設内、あるいは屋外において、各種の広告宣伝などを効果的に行うことのできる情報表示システムに関するものである。
【背景技術】
【０００２】
パチンコ店などの遊技店においては、新機種の入れ替えの案内、大当たり情報、出玉情報、会員サービス情報などの各種の情報がチラシなどの形態で配布される。また、遊技店内においては休憩場所などに設置されているモニター画面上に、そのような情報が放映される。各種の情報をリアルタイムで効率良く遊技客などに提供するためには、情報配信元から通信回線を介して各種の情報を電子データで遊技店に設置した液晶表示装置などの表示装置に配信して放映することが望ましい。
【０００３】
表示装置を用いた広告方法としては、特許文献１(特開平９−１０６２６８号公報)に開示のものがある。ここに開示の広告装置では、常時、ディスプレイ上に広告画像情報を表示し、予め設定した時間帯においてはＴＶ放送を優先して放映するようになっている。しかし、かかる広告装置は、それらを見る人の状態に関係なく一方的に情報を表示するだけである。したがって、表示されている情報に人が注目せず、情報伝達力が弱いという問題点がある。
【０００４】
特許文献２(特開２００１−１４２４２０号公報)に開示の情報表示装置では、画像表示手段に広告画像などを表示しておき、人検出手段によって人を検出すると、音発生手段から、表示されている広告画像に関係のある音を発生させるようになっている。人が近づくと音を発生させることにより、人の関心を引くようにしている。
【０００５】
しかしながら、遊技店内では、各遊技機器から発生する音などによって音声がかき消されてしまい、特許文献２に記載の情報表示装置を用いたとしても、表示される情報に人の関心を集めることが困難である。
【０００６】
ここで、近年においては、女性客などの増加などに伴って、遊技店内のトイレは清潔感のある静寂な環境とされている。したがって、トイレを利用して各種の情報を発信することが考えられる。
【０００７】
トイレ内において情報を表示する方法は、特許文献３(特開平１０−１３７１５７号公報)に開示されている。ここに開示されているトイレ用表示システムでは、トイレ内に表示手段を配置し、着座センサ、ドアセンサなどを利用して、トイレ内に人がいる間だけ、表示手段を作動させて情報を表示するようになっている。特許文献４(特開２００２−９４８９５号公報)には、ウォータクローゼット(ＷＣ)内に液晶表示装置を配置して、商品の宣伝などを行うＷＣテレビジョンシステムが開示されている。また、特許文献５(特開２００２−１５５５６４号公報)には、便器の上にＬＣＤが配置され、利用者が赤外線センサによって検知されると、広告、イベント情報などを表示する情報表示装置が開示されている。
【特許文献１】特開平９−１０６２６８号公報
【特許文献２】特開２００１−１４２４２０号公報
【特許文献３】特開平１０−１３７１５７号公報
【特許文献４】特開２００２−９４８９５号公報
【特許文献５】特開２００２−１５５５６４号公報
【発明の開示】
【発明が解決しようとする課題】
【０００８】
本発明の課題は、上記の従来技術を改良して、人の注意を強く引くことのできる形態で各種の情報を表示して、効率良く表示情報を伝達することのできる情報表示システムを提案することにある。
【０００９】
特に、本発明の課題は、遊技店のトイレを利用して効率良く各種の情報を遊技客に伝達することのできる情報表示システムを提案することにある。
【課題を解決するための手段】
【００１０】
上記の課題を解決するために、本発明は、映像配信サーバと、少なくとも一台の映像表示端末とが有線または無線で接続されている情報表示システムにおいて、
前記映像表示端末は、表示器と、第１映像情報を蓄積するメモリと、当該映像表示端末に対して一定の距離以内の領域に人がいることを検出するための人感センサと、芳香放出器と、前記表示器に表示される映像情報を切り替え制御する制御部とを備えており、
前記映像配信サーバには、前記メモリに蓄積される前記第１映像情報を配信する第１映像情報配信手段と、前記映像表示端末の前記表示器に表示させるための第２映像情報をストリーミング配信する第２映像情報配信手段とを備えており、
前記映像表示端末は、前記制御部の制御の下に、前記領域内に人がいない場合には、前記映像配信サーバからストリーミング配信される前記第２映像情報を前記表示器に表示させ、前記領域内に人が入ったことが検出されると、前記芳香放出器を駆動して香りを所定期間放出させると共に、前記表示器に表示されている映像情報を、前記メモリに蓄積されている第１映像情報に切り替え、当該領域内に人がいることが検出されている間、当該第１映像情報を表示させ、前記領域内に人がいることが検出されなくなると、前記表示器に表示される映像情報を、再び、前記第２映像情報に戻すことを特徴としている。
【００１１】
また、本発明の情報表示システムは、前記映像表示端末がＴＶチューナを備えている場合には、前記領域内に人がいない場合には前記映像配信サーバからストリーミング配信される前記第２映像情報、あるいは、前記ＴＶチューナを介して受信される第３映像情報を前記表示器に表示させ、前記領域内に人がいる状態から人がいなくなった場合に、前記表示器に表示されている映像情報を前記第１映像情報から、前記第２映像情報あるいは前記第３映像情報に戻すことを特徴としている。
【００１２】
本発明の情報表示システムでは、映像表示端末に人が近づくと、表示器に表示されている映像情報が切り替わると共に、映像の切り替わり時には芳香が発せられる。この切り替えによって、映像表示端末に近づいた人が表示映像の切り替わりに極めて強い関心を寄せて、その内容を確認することが期待される。また、臭覚を刺激することにより、映像が強く記憶に残ることが期待される。よって、本発明によれば、極めて効率良く各種の情報を人に伝達することのできる情報表示システムを実現できる。
【００１３】
ここで、本発明の各映像表示端末を、パチンコ店などの遊技店におけるトイレ内の各便器に対応した位置に設置することが望ましい。
【００１４】
遊技店内において静寂な場所であるトイレ内を情報発信場所として利用することにより、効率良く情報を遊技客に伝達することができる。特に、本発明では、便器に人が近づくと、映像表示端末の表示映像がＴＶ番組などの第２あるいは第３映像情報の放映から広告宣伝などの第１映像情報の放映に切り替わる。この切り替わりよって、便器に近づいた人が映像表示端末の存在に気づき、その出力内容に注目することになる。また、切り替わり時には香りが放出されるので、放映情報に対して人が極めて強い関心を寄せて、その内容を確認することが期待される。
【００１５】
トイレ内の各便器に対応して映像表示端末を設置する場合には、利用者が映像表示端末に注目するタイミングに合わせて放映される映像情報の切り替えが行われるように、前記情報表示端末における前記表示器に表示される映像情報の切り替えを、前記領域内に人がいることが検出された場合には、当該検出時点から所定時間が経過した後に行うようにすることが望ましい。また、利用者が便器から去る場合には、映像情報を直ちに元の映像情報に戻すようにすればよい。
【００１６】
次に、前記映像表示端末に振動発生部を配置しておき、映像情報を第１映像情報に切り替える際に香りと共に振動を発生させるようにすれば、より効果的に人の注意を引くことができるので望ましい。
【００１７】
また、前記芳香放出器として異なる種類の香りを放出可能なものを用いると共に、前記映像表示端末に、前記領域内に入った人の体温、脈拍などの生体情報を検出する生体情報センサを配置しておき、前記映像表示端末は、前記領域内に人がいることが検出された後の前記表示器に表示される映像情報の切り替え時に、前記生体情報センサの検出結果に基づき選択された香りを放出させるようにしてもよい。例えば、体温、脈拍数が高い場合には沈静効果のある香りを放出させ、逆の場合には気分を高揚させる効果のある香りを放出させることができる。
【００１８】
また、本発明では、前記映像表示端末は、前記第１映像情報の表示と共に、あるいは、当該第１の映像情報の表示に続けて、前記生体情報センサの検出結果に基づき第４映像情報を表示するようにしている。例えば接近した人のサーモグラフィを測定し、それに基づき健康状態などの情報を表示することができる。
【００１９】
ここで、多数の情報を提供する場合には、人の好みなどに応じて放映情報を選択させることが望ましい。このためには、前記表示器の表示画面にタッチパネル機能を持たせ、前記メモリには複数種類の前記第１映像情報を蓄積しておき、前記第１映像情報の表示時には最初に予め定められた種類の第１映像情報を表示し、前記表示画面の側からの切り替え入力に応じて、表示される第１映像情報を異なる種類のものに切り替えるようにすればよい。
【００２０】
ここで、前記第２映像情報および前記第３映像情報は、一般ＴＶ放送、ＢＳ放送、ＣＳ放送、ケーブルＴＶ放送、および、録画映像のうちの一つとすることができる。
【００２１】
また、前記第１映像情報は、イベント情報、商品広告情報、飲食店のメニュー情報、小売店の商品情報、旅行代理店などのサービス業のサービス情報、ホテル・会場・乗り物・旅行などの予約情報のうちの少なくとも一つとすることができる。
【００２２】
パチンコ店などの遊技店に映像表示端末が配置される場合には、前記第１映像情報は、次の(１)〜(８)のうちの少なくとも一つとすることができる。
【００２３】
(１)新機種(遊技機)入れ替えの案内、レディースデイなどの営業イベントの案内、甘釘まつりなどの遊技機イベントの案内、カニ祭りなどの景品イベントの案内、店内チラシ、などのパーラーイベント情報
(２)遊技機の基本仕様と遊技方法解説(遊技機プロモーション)
(３)大当たり情報、出玉情報
(４)会員サービス情報
(５)休業日、営業時間の案内
(６)企業案内と他店(チェーン店など)情報
(７)求人案内
(８)設置している遊技機とそのレイアウト情報、パーラーに関係するレストラン情報・ブランド品などの情報を含む、パーラー内の広告宣伝
【００２４】
ここで、前記映像表示端末において、前記領域に人がいることが検出されると、前記第１映像情報の表示を常にその先頭から開始し、前記領域内に人いることが検出されている間は繰り返し当該第１映像情報を表示することが望ましい。
【００２５】
第１映像情報として短い時間幅のものを用意しておけば、人が映像表示端末を見ている短い間に第１映像情報を全て出力できる。また、途中で出力が停止した場合でも、次の人が接近すると最初から第１映像情報が放映される。よって、効率良く情報を人に伝達できる。
【００２６】
さらに、多数の場所あるいは施設において情報の提供を行う場合などにおいては、インターネットなどの通信回線を介して、前記映像配信サーバに前記第１映像情報を配信する中央配信サーバを配置し、前記映像配信サーバの画像メモリに、配信された前記第１映像情報を蓄積するように、システムを構築することが望ましい。
【００２７】
また、前記映像表示端末において、前記第１映像情報を前記表示器に表示すると同時に占いボタンを前記表示画面上に表示し、当該占いボタンが操作されるとその旨を前記中央配信サーバに通知し、前記中央配信サーバは、前記占いボタンが操作されたことが通知されると、占い結果データを作成して、当該占い結果データを前記占いボタンが操作された前記映像表示端末の前記表示画面に表示するようにしてもよい。
【００２８】
この場合には、前記映像表示端末において、前記占いボタンが操作されると前記表示画面上に占いメニュー画面を表示し、表示されている占いメニュー画面上の一つの占いが選択されると、その占い画面を表示し、表示された占い画面上において占いの実行が選択されるとその旨を前記中央配信サーバに通知し、前記中央配信サーバは、当該通知を受け取ると、選択された占いの結果データを作成して、前記制御部を介して前記の占いの実行が選択された前記映像表示端末の前記表示画面上に、占いの結果を表示させるようにしてもよい。例えば、占い結果として、相性の良い遊技台情報などを表示すれば、遊技台の広告宣伝を効果的に行うことができる。
【発明の効果】
【００２９】
本発明の情報表示システムでは、映像表示端末に人が近づくと、そこで放映されている一般ＴＶ番組などの第２あるいは第３映像情報が、宣伝、広告などの第１映像情報に切り替わると共に香りが放出される。映像の切り替わりと、芳香によって、放映される映像情報に対して人が極めて強い関心を寄せて、その内容を確認することが期待され、視覚に加えて、臭覚が刺激されるので、放映される映像情報が強く見た人の記憶に残ることが期待される。よって、本発明によれば、極めて効率良く各種の情報を人に伝達することのできる情報表示システムを実現できる。
【００３０】
また、本発明では、映像表示端末がトイレの便器に配置されている場合には、人が便器に接近した場合には、それを検出した時点から少し遅れた時点で放映される映像情報の切り替えを行い、人が便器から離れる際には直ちに映像情報を元の映像情報に戻すようにしている。したがって、トイレ利用者の行動パターンに対応した形態で広告、宣伝などの第１映像情報を表示して人に伝えることができる。
【発明を実施するための最良の形態】
【００３１】
以下に、図面を参照して、本発明を適用した情報表示システムの実施の形態を説明する。
【００３２】
図１は、本実施の形態に係る遊技店の情報表示システムを示す全体構成図である。情報表示システム１は、遊技店２に設置されている映像配信サーバ３と、当該遊技店２の各トイレ４、５にそれぞれ設置されている複数台の映像表示端末６(１)〜６(ｍ)、７(１)〜７(ｎ)(ｍ，ｎ：正の整数)と、遊技店２の内部に設置されている複数台、例えば２台の大型表示装置８(１)、８(２)と、遊技店２の外に設置されている１台あるいは複数台の屋外スーパービジョン９とを有している。
【００３３】
映像配信サーバ３にはＬＡＮケーブル１１が接続されており、ＬＡＮケーブル１１はハブ(ＨＵＢ)１２〜１５を介して分岐して、大型表示装置８(１)、８(２)、屋外スーパービジョン９にそれぞれ接続されている。また、ＬＡＮケーブル１１は、下位のハブ(ＨＵＢ)１６、１７を介して、それぞれ、映像表示端末６(１)〜６(ｍ)および７(１)〜７(ｎ)に接続されている。
【００３４】
映像配信サーバ３は通信回線、例えばインターネット１８を介して、宣伝情報作成・配信センタ１９の側の中央配信サーバ２０に接続されている。映像配信サーバ３は、中央配信サーバ２０から宣伝情報(第１映像情報)の配信を受けると、それを内蔵の画像メモリ２１に記憶保持する。また、ここに記憶保持した第１映像情報を、キャプチャーボード２２によってＭＰＥＧ規格でエンコード(圧縮)してＬＡＮ出力するように構成されている。さらに、映像配信サーバ３にはチューナ２３が内蔵されており、ＴＶ放送、地上波放送、ＢＳ放送、ＣＳ放送などの放送番組(第２映像情報)を受信して、ＬＡＮケールル１１を介して各映像表示端末６(１)〜６(ｍ)、７(１)〜７(ｎ)にストリーミング配信することができるように構成されている。
【００３５】
各映像表示端末６(１)〜６(ｍ)、７(１)〜７(ｎ)は、後述のようにＴＶチューナを備えており、常時は、映像配信サーバ３の側からストリーミング配信されるＴＶ放送番組(第２映像情報)、あるいは、アンテナケーブルから内蔵のＴＶチューナを介して得られるＴＶ放送番組(第３映像情報)を無音声で放映している。人が接近すると、放映されている映像情報を、ＴＶ放送番組から、宣伝情報(第１映像情報)に切り替える。これに対して、遊技店２内の大型表示装置８(１)、８(２)および屋外スーパービジョン９では、常に、所定の宣伝情報が繰り返し放映される。
【００３６】
図２は映像表示端末６(１)の概略ブロック図である。映像表示端末６(１)以外の映像表示端末６(２)〜６(ｍ)および映像表示端末７(１)〜７(ｎ)も同一構成であるので、これらの説明は省略する。
【００３７】
映像表示端末６(１)は、制御ボード３０と映像入出力ユニット５０を備えている。制御ボード３０には、ＴＶチューナ３１および切替処理部３２が搭載されており、切替処理部３２の第２入力端３２ｂには、映像配信サーバ３から常時ストリーミング配信されているＴＶ放送番組の映像情報(第２映像情報)がＬＡＮポート３０ａを介して供給される。また、切替処理部３２の第３入力端３２ｃにはＴＶチューナ３１からＴＶ放送番組の映像情報(第３映像情報)が供給される。さらに、切替処理部３２の第１入力端３２ａには、制御ボード３０に搭載されているメモリ３３に蓄積されている宣伝情報(第１映像情報)が供給可能となっている。メモリ３３はハードディスク、半導体メモリ、ＤＶＤディスクなどからなり、宣伝情報が例えばＭＰＥＧ画像データの形態で記憶保持されている。
【００３８】
切替処理部３２は、これら第１〜第３入力端３２ａ〜３２ｃに供給される情報を択一的に選択してその出力端３２ｄから出力する。出力された情報は復号処理部３４に供給され、ここにおいて所定の復号処理が施される。例えば、ＭＰＥＧデコード処理が施される。復号処理された後の復号化情報は動画信号生成部３５に供給され、ここにおいて復号化情報から画像信号および音声信号が生成される。これらの信号は出力ポート３６を介して出力され、映像入出力ユニット５０に供給される。
【００３９】
制御ボード３０には芳香放出器３７が搭載されており、制御ボード３０に搭載されている当該芳香放出器３７および上記の各部３１〜３５は制御ボード３０に搭載されているＣＰＵを中心に構成された制御部３８によって駆動制御される。制御部３８には、人感センサとして機能する赤外線反射センサ３９の出力信号が入力ポート４０を介して供給される。また、人体温度を検出するための体温センサ４１(生体情報センサ)の出力信号が入力ポート４２を介して供給される。さらに、排尿成分を分析して健康状態を判定する排尿検査器４３(生体情報センサ)の出力信号が入力ポート４４を介して供給される。制御部３８は、そのＲＯＭ内に格納されている制御プログラムにしたがって、これらの入力信号に基づき各部を駆動制御する。
【００４０】
映像入出力ユニット５０は、表示器５１および音声出力部５２を備えている。また、情報入力部としてカメラなどの撮像部５３を備えている。また、表示器５１の表示画面５４にタッチパネル機能を持たせて、操作入力を行うことができるようにしてもよい。
【００４１】
ここで、赤外線反射センサ３９は、トイレ４の各便器に対して一定の距離以内の領域に人が入ったか否かを検出するためのものであり、各便器の近傍位置、あるいは、映像表示端末６(１)に内蔵されている。映像表示端末６(１)の切替処理部３２では、その第３入力端３２ｃが出力端３２ｄに接続された状態に保持されている。あるいは、その第２入力端３２ｂが出力端３２ｄに接続された状態に保持されている。したがって、常時は、アンテナケーブル４５からＴＶチューナ３１を介して供給されるＴＶ放送番組(第３映像情報)、あるいは、映像配信サーバ３からストリーミング配信されているＴＶ放送番組(第２映像情報)が映像入出力ユニット５０に供給され、その表示器５１の表示画面５４には当該ＴＶ放送番組の映像のみが表示されている。
【００４２】
赤外線反射センサ３９によって人が検出されると、制御部３８は切替処理部３２を切替制御して、その第３あるいは第２入力端３２ｃあるいは３２ｂと出力端３２ｄとを切り離して第１入力端３２ａを出力端３２ｄに接続し、メモリ３３に蓄積されている宣伝情報(第１映像情報)を、切替処理部３２、復号処理部３４および動画信号生成部３５を介して出力し、その画像および音声信号を映像入出力ユニット５０に供給する。この結果、映像入出力ユニット５０では、宣伝情報の映像が表示画面５４に表示され、その音声が音声出力部５２から出力される。
【００４３】
体温センサ４１は便器に接近した人のサーモグラフィを測定し、それに基づき、その人の興奮状態を多段階に判別し、判別結果を出力するものである。例えば、体温が低い場合と高い場合の二段階の判別を行い、判別結果を出力する。制御部３８は、体温が低いと判断された場合には、気分を高揚させる効能のある香りを芳香放出器３７から放出させ、体温が高いと判断された場合には、気分を落ち着かせる効能のある香りを芳香放出器３７から放出させる。
【００４４】
排尿検査器４３は例えば各便器の排水管に取り付けられており、排尿の成分の一つあるいは複数を検出し、それに基づき健康状態を判断する。例えば、排尿から糖が検出された場合には、制御部３８は、メモリ３３に予め記憶保持されている定型メッセージ、例えば、「健康診断にいかれることをお勧めします。」などのメッセージ(第４の情報)を宣伝情報と共に表示画面５４上に表示させるようになっている。
【００４５】
一方、映像入出力ユニット５０の撮像部５３で撮像された人の顔画像は映像表示端末６(１)からＬＡＮケーブル１１を介して映像配信サーバ３に供給される。映像配信サーバ３では、例えば、不審人物画像情報などを記憶保持しておき、受信した撮影画像をこれらと照合することにより、遊技店のセキュリティを高めることができる。また、顔画像に基づき顔色などの生体情報を読み込み、これに基づき、芳香放出器３７から放出される香りの種類を切り替え制御するようにしてもよい。
【００４６】
また、表示器５１の表示画面５４にタッチパネル機能を持たせてある場合には、複数種類の宣伝情報を出力可能としておき、入力ポート４６を介して制御部３８に供給されるタッチパネル入力によって、表示されている宣伝情報を切り替え表示することができる。例えば、宣伝情報(第１映像情報)として複数の情報を用意しておき、最初にメニュー画面を表示し、そこに表示されている「遊技台情報」「出玉情報」「イベント情報」などのメニューを選択させて、選択された情報を表示するように構成することができる。
【００４７】
(映像表示端末の映像切替出力動作)
図３は、本例の情報表示システム１における映像表示端末６(１)の映像切替動作を示す概略フローチャートである。この図を参照して映像表示端末６(１)の動作を以下に纏めて説明する。まず、映像表示端末６(１)では、常時、ＴＶチューナ３１を介して供給される一般のＴＶ放送番組(第３映像情報)、あるいは、ＬＡＮケーブル１１を介して映像配信サーバ３の側からストリーミング配信されている一般のＴＶ放送番組(第２映像情報)を、表示器５１の表示画面５４上で放映している。放映形態は、音声は出力せずに映像のみを出力する第１の出力形態である(ステップＳＴ１)。
【００４８】
この放映状態において、トイレ４に遊技客が入り、便器の前に立つと、赤外線反射センサ３９によって人が便器の前に立ったことが検出される(ステップＳＴ２)。各赤外線反射センサ３９の感知領域は、隣の便器に設置されている赤外線反射センサの感知領域と重複することの無いように設定されている。便器に人が立つと、制御部３８は、タイマカウントを行い、予め定めた時間、例えば５秒〜１０秒が経過した後に、放映されている映像情報の切り替えを行う(ステップＳＴ３、ＳＴ４)。この結果、表示器５１の表示画面５４には、予め映像配信サーバ３の側から配信されてメモリ３３に蓄積されている宣伝情報(第１映像情報)が、表示画面５４に表示されると共に、音声出力部５２から音声が出力される(ステップＳＴ５)。宣伝情報は例えば５分間以内で終了する短い時間のものとし、これを繰り返し放映する。
【００４９】
また、宣伝情報の表示と同時に、便器の前に立った人の体温が体温センサ４１によって測定され、測定結果に応じて、芳香放出器３７から香りが一定時間だけ放出される(ステップＳＴ６)。例えば、測定された体温が予め設定されている値よりも低い場合には、気分を高揚させる効能のある香りを芳香放出器３７から一定時間放出する。体温が高い場合には、気分を落ち着かせる効能のある香りを芳香放出器３７から一定時間放出する。
【００５０】
ここで、体温センサ４１の測定結果に応じて複数種類の宣伝情報のうちの一つを選択して出力してもよい。例えば、最初に、予め定められている宣伝情報を出力し、しかる後に、測定結果に基づき選択された宣伝情報に切り替えるようにすればよい。
【００５１】
さらに、排尿成分が排尿検査器４３によって検査され、その特定成分に基づき、健康状態についてのメッセージなど(第４の情報)が表示画面５４に表示される(ステップＳＴ７)。例えば、排尿から糖が検出された場合には、制御部３８は、メモリ３３に予め保持されている定型メッセージ、例えば、「健康診断にいかれることをお勧めします。」「疲労ぎみです。」などのメッセージを宣伝情報と共に表示画面５４上に表示させる。
【００５２】
人が便器から立ち去ると、赤外線反射センサ３９によってそのことが検出される(ステップＳＴ８)。この場合には、制御部３８によって直ちに放映されている映像の切り替え処理が行われて(ステップＳＴ９)、表示器５１の表示画面５４が再びＴＶ番組の放映画面に戻る。
【００５３】
なお、映像表示端末６(１)のメモリ３３に記憶保持されている宣伝情報は、映像配信サーバ３の側から事前に配信することができる。また、宣伝情報は、映像配信サーバ３の側から更新可能であり、例えば、更新処理は、ストリーミングと同時に行うことが可能である。
【００５４】
(放映される宣伝情報の例)
上記の例では、人が便器の前に立つと第１映像情報として所定の宣伝情報を出力するようにしている。遊技店における宣伝情報としては、例えば次のような情報を挙げることができる。
【００５５】
(１)遊技店イベント情報
新機種(遊技機)入れ替えの案内(「３の付く日・・・」「レディースデイ」「タイムサービス」など)
遊技機イベントの案内(「５，６高設定まつり・・・」「甘釘・・・」「大海祭り・・・」など)
景品イベントの案内(「北海道カニ祭り・・・」など)
店内ちらし情報(「当日チラシ」「ミニチラシ」など)
(２)遊技機の基本仕様と遊技方法解説(遊技機プロモーション)
(３)大当たり情報、出玉情報
(４)会員サービス情報
(５)休業日、営業時間の案内
(６)企業案内と他店(チェーン店など)情報
(７)求人案内
(８)遊技店内の広告宣伝
遊技機情報(設置している遊技機とそのレイアウト)
遊技店に関係する品目情報(関係するレストラン情報、ブランド品などの情報)
【００５６】
次に、第２映像情報および第３映像情報としては、一般ＴＶ放送、ＢＳ(アナログ、デジタル)放送、ＣＳ放送、ケーブルＴＶ放送を挙げることができる。これに加えて、スポーツ(野球、サッカー、ゴルフ、オリンピック競技など)の録画映像、一般ビデオコンテンツ(海、山、宇宙など)を放映してもよい。
【００５７】
(情報の出力形態)
上記の例では、通常は、表示器５１の表示画面５４に映像のみを表示している。すなわち、視覚により認識可能な第１の出力形態で出力している。また、人が便器に立つと、宣伝情報を、視覚、聴覚、臭覚により認識可能な第２の出力形態で出力している。
【００５８】
第２の出力形態としては、視覚、聴覚および、触覚により認識可能な第２の出力形態とすることもできる。例えば、振動モータなどの振動発生部を用いて振動を感知させながら画像および音声を出力するようにしてもよい。
【００５９】
(システム構成例)
上記の例では、映像配信サーバ３と、各映像表示端末６(１)〜６(ｍ)、７(１)〜７(ｎ)の間をＬＡＮケーブル１１で結び、各映像表示端末６(１)〜６(ｍ)，７(１)〜７(ｎ)に宣伝情報を記憶保持するためのメモリ３３を持たせている。したがって、各映像表示端末６(１)〜６(ｍ)、７(１)〜７(ｎ)においてオンデマンド対応で宣伝情報を出力できる。なお、同一あるいは異なる宣伝情報を個々の映像表示端末６(１)〜６(ｍ)、７(１)〜７(ｎ)に個別に登録することもできる。
【００６０】
ここで、各映像表示端末６(１)〜６(ｍ)、７(１)〜７(ｎ)に宣伝情報を蓄積しないようにしてもよい。例えば、宣伝情報を蓄積するためのメモリを各映像表示端末から省略することも可能である。この場合には、映像配信サーバ３の側において、各映像表示端末に配信する第１映像情報を保持しておく必要があり、各映像表示端末からの要求に応じて第１映像情報が配信される。
【００６１】
一方、ＬＡＮ方式の代わりに、周波数分割多重方式により映像配信サーバ３から各映像表示端末に第１映像情報を配信するようにしてもよい。この場合には、同軸ケーブルを介して映像配信サーバと各映像表示端末が接続され、通常は、各映像表示端末の側に搭載されているＴＶチューナから供給される一般放送番組が放映される。また、この場合においても、各映像表示端末の側に第１映像情報を保持するためのメモリを搭載する構成と、このようなメモリの搭載を省略する構成のいずれをも採用できる。オンデマンド対応のためにはメモリを各映像表示端末に持たせることが望ましい。
【００６２】
(その他の実施の形態)
上記の例は本発明を遊技店の情報提供のために適用したものである。本発明の映像表示システムは遊技店以外にも採用することができる。例えば、居酒屋、ファミレスチェーン店、回転寿司などのセルフオーダーシステムとして用いることができる。また、新幹線、航空機の座席に設置される表示システム、空港ロビー、各施設の待合室の表示システムに用いることもできる。さらには、芳香器を利用して、例えば、新作香水の販売促進のための宣伝方法して用いることもできる。
【００６３】
また、施設内などにおいて広告宣伝を行う場合には、本発明による映像表示端末による第１映像情報の出力回数をカウントし、所定期間毎に出力回数を集計するようにしてもよい。このようにすれば、集計結果に基づき、例えば情報発信料を算出して、広告依頼元に課金することができる。また、集計結果に基づき、映像表示端末の設置場所が多数の人が集まる情報の伝達に適した場所であるか否かを判断することもできる。
【００６４】
さらに、本発明の情報表示システムに占い機能を追加することも可能である。遊技店などのトイレを利用する人の利用時間は男性の場合には例えば約１０〜１５秒であり、広告宣伝情報を効果的にトイレ利用者に提供するためには、利用者が積極的に広告を見る機会を与える必要がある。このためには、占いを通じて広告を効果的に表示することが一つの有効な方法である。
【００６５】
例えば、上記の情報表示システム１に占い機能を追加する場合には、映像表示端末６(１)の映像入出力ユニット５０の表示画面５４にタッチパネル機能を持たせておき、人がトイレ４の便器に接近した場合に切り替え表示される表示画面５４上に占いボタンを表示しておく。利用者が占いボタンを押すと、表示画面５４を占いメニュー画面に切り替えて各種の占いメニューを表示する。例えば、(ａ)今日の占い、(ｂ)今週の占い、および(ｃ)新台占いの三種類を表示する。各占いメニューを選択ボタンとして機能させ、これらの一つが押されると、表示画面５４を押された占いの画面に切り替え、何を占うのかなどの占いの内容を表示すると共に、表示画面５４上に占い実行ボタンを表示する。占い実行ボタンが押されると、それが映像表示端末６(１)の制御部３８およびＬＡＮケーブル１１を介して映像配信サーバ３に送られる。映像配信サーバ３は受け取った占い実行指令をインターネット１８を介して中央配信サーバ２０に通知する。
【００６６】
中央配信サーバ２０は、通知を受け取ると、占い結果データを作成し、そのデータを映像配信サーバ３を介して映像表示端末６(１)の映像入出力ユニット５０の表示画面５４上に表示させる。占い結果としては例えば次のような内容が表示される。
【００６７】
(ａ)「今日の占い」の場合
今日のお勧めの遊技台(メーカー名、機種名、仕様概要)の表示
ラッキー台の台番号(台番号に「１」または「８」のつく遊技台がお勧めであるなど)の表示
ツキが回ってくるラッキーアイテム(水玉模様のハンカチ・ガスライター・扇子など)の表示
(ｂ)「今週の占い」の場合
今週はＸＸＸ社製の台(メーカー名、今週の設置機種)がお勧めであるなどの表示
(ｃ)「新台占い」の場合
次回新台入れ替えと遊技者の相性についての占い結果の表示
来週のＸＸ月ＸＸ日新台入れ替え(ＣＲｘｘｘ登場)、あなたとの相性は１２０％などといった新台入れ替え情報を含む表示
【００６８】
ここで、中央配信サーバ２０では、上記のような占い結果などの占い内容データと、遊技台メーカーから提供される機種データと、本例の映像表示システム１が設置されている遊技店２の遊技店データ(設置機種情報、イベント情報)に基づき、占い結果データを編集して生成することが望ましい。例えば、占い内容データについては映像表示システム１の管理運営会社が編集し、機種データは遊技台メーカーが編集し、遊技店データは遊技店の側において編集して、通信回線などを介して、中央配信サーバ２０に提供できるようにすればよい。
【００６９】
このように、占いを利用して広告宣伝を行う場合には次のような作用効果を期待できる。すなわち、ゲンを担ぐという遊技者の心理に占いで応え、これに宣伝広告の要素を加えることにより、遊技者、遊技店、台メーカーともに有益な情報提供システムを構築することができる。
【００７０】
なお、上記の説明では、映像表示端末６(１)の映像入出力ユニット５０の表示器５１にタッチパネル機能を持たせ、占いを行う場合には表示されている占いボタンを操作するようにしている。この代わりに、映像表示端末６(１)の映像入出力ユニット５０に手動操作用の入力ボタンを配置しておき、この入力ボタンが操作されると、表示画面５４が占いメニュー画面に切り替わるようにしてもよい。
【図面の簡単な説明】
【００７１】
【図１】本発明を適用した遊技店の情報表示システムを示す全体構成図である。
【図２】図１の情報表示システムの映像表示端末を示す概略構成図である。
【図３】図２の映像表示端末の動作を示す概略フローチャートである。
【符号の説明】
【００７２】
１    情報表示システム
２    遊技店
３    映像配信サーバ
４、５  トイレ
６(１)〜６(ｍ)、７(１)〜７(ｎ)  映像表示端末
８(１)、８(２)  大型表示装置
９    屋外スーパービジョン
１１  ＬＡＮケーブル
１２〜１７  ハブ
１８  インターネット
１９  宣伝情報作成・配信センタ
２０  中央配信サーバ
２１  画像メモリ
２２  キャプチャーボード
２３  チューナ
３０  制御ボード
３１  ＴＶチューナ
３２  切替処理部
３３  メモリ
３４  復号処理部
３５  動画信号生成部
３６  出力ポート
３７  芳香放出器
３８  制御部
３９  赤外線反射センサ
４０、４２、４４  入力ポート
４１  体温センサ
４３  排尿検査器
４５  アンテナケーブル
４６  入力ポート
５０  映像入出力ユニット
５１  表示器
５２  音声出力部
５３  撮像部
５４  表示画面
【図１】
2008284101.tif 000003
【図２】
2008284101.tif 000004
【図３】
2008284101.tif 000005